(57)【要約】【課題】入浴者を視覚的に癒しつつ、給湯用操作パネルのスイッチから光源に電気信号を供給するための電気配線を短くし、かつ、給湯用操作パネルの前側面を小型化する。【解決手段】浴室内に配置された給湯用操作パネル１において、演出照明用の光を浴室内に照射するための光源２ａ，２ｂ，２ｃ，２ｄを給湯用操作パネル１の上面１１、下面１２、右側面１３、および、左側面１４の少なくとも１つに配置する。好ましくは、光源２ａ，２ｂ，２ｃ，２ｄ，２ｅ，２ｆ，２ｇ，２ｈ，２ｉから放射された光を浴室の壁面２０の側に反射するためのリフレクタ２１を光源２ａ，２ｂ，２ｃ，２ｄ，２ｅ，２ｆ，２ｇ，２ｈ，２ｉの前側に配置する。【選択図】図１
2007155228.tif 000002
【特許請求の範囲】
【請求項１】
浴室内に配置された給湯用操作パネルにおいて、演出照明用の光を浴室内に照射するための光源を給湯用操作パネルの上面、下面、右側面、および、左側面の少なくとも１つに配置したことを特徴とする給湯用操作パネル。
【請求項２】
前記光源から放射された光を浴室の壁面側に反射するためのリフレクタを前記光源の前側に配置したことを特徴とする請求項１に記載の給湯用操作パネル。
【請求項３】
演出照明用の光を照射するための複数の光源を設け、光源から放射された光を集光させてスポット光を形成するためのリフレクタを前記複数の光源のそれぞれに設けたことを特徴とする請求項２に記載の給湯用操作パネル。
【請求項４】
スイッチとディスプレイとを有する給湯操作用本体ユニットと、前記光源を有する照明ユニットとを別個に形成し、前記給湯操作用本体ユニットに対して前記照明ユニットを装着するためのスライドガイドを前記給湯操作用本体ユニットに形成したことを特徴とする請求項１〜３のいずれか一項に記載の給湯用操作パネル。
【請求項５】
前記給湯操作用本体ユニットに対して前記照明ユニットが装着されると、前記給湯操作用本体ユニットと前記照明ユニットとが電気的に接続されるように構成された相補形状のコネクタ端子を前記給湯操作用本体ユニットと前記照明ユニットとに設けたことを特徴とする請求項４に記載の給湯用操作パネル。
【請求項６】
スピーカーを具備することを特徴とする請求項１〜５のいずれか一項に記載の給湯用操作パネル。
【発明の詳細な説明】
【技術分野】
【０００１】
本発明は、浴室内に配置された給湯用操作パネルに関し、特には、入浴者を視覚的に癒しつつ、給湯用操作パネルのスイッチから光源に電気信号を供給するための電気配線を短くし、かつ、給湯用操作パネルの前側面を小型化することができる給湯用操作パネルに関する。
【背景技術】
【０００２】
従来から、浴室内に配置された給湯用操作パネルが知られている。この種の給湯用操作パネルの例としては、例えば特開２００５−９８３１号公報に記載されたものがある。また、給湯用ではないものの、気泡発生浴槽用の操作パネルが浴室内に配置されたものの例として、例えば特開平９−２３８８６１号公報に記載されたものがある。
【０００３】
特開２００５−９８３１号公報に記載された給湯用操作パネルでは、給湯装置の操作性の向上が図られ、特開平９−２３８８６１号公報に記載された操作パネルでは、気泡発生浴槽の操作性の向上が図られているものの、特開２００５−９８３１号公報に記載された給湯用操作パネル、あるいは、特開平９−２３８８６１号公報に記載された操作パネルでは、入浴中の入浴者を癒すことが目的とされていなかった。
【０００４】
入浴中の入浴者を癒すことを目的としたものの例としては、例えば特開２００１−２９７８８７号公報、特開２００３−２８８９９５号公報などに記載されたものがある。
【０００５】
特開２００１−２９７８８７号公報に記載された演出照明装置では、浴槽内に配置されたＬＥＤからの光が浴槽の水中に照射され、演出効果が図られている。ところが、特開２００１−２９７８８７号公報に記載された演出照明装置では、演出照明用の光を浴槽の水中に照射するためのＬＥＤが、ＬＥＤを操作するためのリモコンから離れた位置に配置されている。そのため、特開２００１−２９７８８７号公報に記載された演出照明装置では、リモコンの操作スイッチ部からＬＥＤに電気信号を供給するための電気配線が長くなってしまう。
【０００６】
また、特開２００３−２８８９９５号公報に記載された浴室照明システムでは、メタルハライドランプから光が照射され、リラクゼーション効果が期待されている。ところが、特開２００３−２８８９９５号公報に記載された浴室照明システムでは、メタルハライドランプが、メタルハライドランプを操作するためのスイッチパネルから離れた位置に配置されている。そのため、特開２００３−２８８９９５号公報に記載された浴室照明システムでは、スイッチパネルからメタルハライドランプに電気信号を供給するための電気配線が長くなってしまう。
【０００７】
【特許文献１】特開２００５−９８３１号公報
【特許文献２】特開平９−２３８８６１号公報
【特許文献３】特開２００１−２９７８８７号公報
【特許文献４】特開２００３−２８８９９５号公報
【発明の開示】
【発明が解決しようとする課題】
【０００８】
前記問題点に鑑み、本発明は、入浴者を視覚的に癒しつつ、給湯用操作パネルのスイッチから光源に電気信号を供給するための電気配線を短くし、かつ、給湯用操作パネルの前側面を小型化することができる給湯用操作パネルを提供することを目的とする。
【課題を解決するための手段】
【０００９】
請求項１に記載の発明によれば、浴室内に配置された給湯用操作パネルにおいて、演出照明用の光を浴室内に照射するための光源を給湯用操作パネルの上面、下面、右側面、および、左側面の少なくとも１つに配置したことを特徴とする給湯用操作パネルが提供される。
【００１０】
請求項２に記載の発明によれば、前記光源から放射された光を浴室の壁面側に反射するためのリフレクタを前記光源の前側に配置したことを特徴とする請求項１に記載の給湯用操作パネルが提供される。
【００１１】
請求項３に記載の発明によれば、演出照明用の光を照射するための複数の光源を設け、光源から放射された光を集光させてスポット光を形成するためのリフレクタを前記複数の光源のそれぞれに設けたことを特徴とする請求項２に記載の給湯用操作パネルが提供される。
【００１２】
請求項４に記載の発明によれば、スイッチとディスプレイとを有する給湯操作用本体ユニットと、前記光源を有する照明ユニットとを別個に形成し、前記給湯操作用本体ユニットに対して前記照明ユニットを装着するためのスライドガイドを前記給湯操作用本体ユニットに形成したことを特徴とする請求項１〜３のいずれか一項に記載の給湯用操作パネルが提供される。
【００１３】
請求項５に記載の発明によれば、前記給湯操作用本体ユニットに対して前記照明ユニットが装着されると、前記給湯操作用本体ユニットと前記照明ユニットとが電気的に接続されるように構成された相補形状のコネクタ端子を前記給湯操作用本体ユニットと前記照明ユニットとに設けたことを特徴とする請求項４に記載の給湯用操作パネルが提供される。
【００１４】
請求項６に記載の発明によれば、スピーカーを具備することを特徴とする請求項１〜５のいずれか一項に記載の給湯用操作パネルが提供される。
【発明の効果】
【００１５】
請求項１に記載の給湯用操作パネルでは、演出照明用の光が浴室内に照射される。そのため、入浴者を視覚的に癒すことができる。
【００１６】
更に、請求項１に記載の給湯用操作パネルでは、演出照明用の光を照射するための光源が給湯用操作パネルに設けられている。そのため、演出照明用の光を照射するための光源が給湯用操作パネルから離れた位置に配置されている場合よりも、給湯用操作パネルのスイッチから光源に電気信号を供給するための電気配線を短くすることができる。
【００１７】
また、仮に、演出照明用の光を照射するための光源が、例えばスイッチ、ディスプレイ等を配置するための給湯用操作パネルの前側面に配置されると、例えばスイッチ、ディスプレイ等を配置するための領域の他に、光源を配置するための領域を給湯用操作パネルの前側面に設けなければならない。その結果、給湯用操作パネルの前側面が大型化してしまう。
【００１８】
この点に鑑み、請求項１に記載の給湯用操作パネルでは、演出照明用の光を照射するための光源が、給湯用操作パネルの前側面ではなく、給湯用操作パネルの上面、下面、右側面、および、左側面の少なくとも１つに配置されている。そのため、演出照明用の光を照射するための光源が、給湯用操作パネルの前側面に配置される場合よりも、給湯用操作パネルの前側面を小型化することができる。
【００１９】
すなわち、請求項１に記載の給湯用操作パネルによれば、入浴者を視覚的に癒しつつ、給湯用操作パネルのスイッチから光源に電気信号を供給するための電気配線を短くし、かつ、給湯用操作パネルの前側面を小型化することができる。
【００２０】
請求項２に記載の給湯用操作パネルでは、光源から放射された光を浴室の壁面側に反射するためのリフレクタが光源の前側に配置されている。詳細には、請求項２に記載の給湯用操作パネルでは、光源から放射された光のうち、浴室の壁面側に放射された光が、浴室の壁面に直接照射される。更に、光源から放射された光のうち、浴室の壁面から離れる側に放射された光が、光源の前側に配置されたリフレクタによって反射せしめられ、浴室の壁面に照射される。そのため、浴室の壁面側に放射された光のみならず、浴室の壁面から離れる側に放射された光を演出照明用の光として有効利用することができる。
【００２１】
請求項３に記載の給湯用操作パネルでは、演出照明用の光を照射するための複数の光源が設けられ、光源から放射された光を集光させてスポット光を形成するためのリフレクタが複数の光源のそれぞれに設けられている。そのため、複数のライン状の演出照明用の光を浴室の壁面に照射することができる。
【００２２】
請求項４に記載の給湯用操作パネルでは、スイッチとディスプレイとを有する給湯操作用本体ユニットと、演出照明用の光を照射するための光源を有する照明ユニットとが別個に形成され、給湯操作用本体ユニットに対して照明ユニットを装着するためのスライドガイドが給湯操作用本体ユニットに形成されている。そのため、ユーザーの好みに応じて照明ユニットを後付けすることができる。
【００２３】
請求項５に記載の給湯用操作パネルでは、給湯操作用本体ユニットに対して照明ユニットが装着されると、給湯操作用本体ユニットと照明ユニットとが電気的に接続されるように構成された相補形状のコネクタ端子が、給湯操作用本体ユニットと照明ユニットとに設けられている。そのため、給湯操作用本体ユニットに対して照明ユニットを装着する時に結線作業をする必要性を排除することができる。
【００２４】
請求項６に記載の給湯用操作パネルでは、スピーカーが設けられている。そのため、入浴者を聴覚的に癒すことができる。
【発明を実施するための最良の形態】
【００２５】
以下、本発明の給湯用操作パネルの第１の実施形態について説明する。図１は第１の実施形態の給湯用操作パネル１の斜視図、図２は第１の実施形態の給湯用操作パネル１の左側面図である。図１および図２において、２０は第１の実施形態の給湯用操作パネル１が取り付けられた浴室の壁面を示している。１１は給湯用操作パネル１の上面を示しており、１２は給湯用操作パネル１の下面を示しており、１３は給湯用操作パネル１の右側面を示しており、１４は給湯用操作パネル１の左側面を示しており、１５は給湯用操作パネル１の前側面を示している。２ａ，２ｂ，２ｃ，２ｄは演出照明用の光Ｌａ，Ｌｂ，Ｌｃ，Ｌｄを浴室内に照射するために給湯用操作パネル１の上面１１に配置された例えばＬＥＤのような光源を示している。
【００２６】
また、図１および図２において、３１ａ，３１ｂ，３１ｃ，３１ｄ，３１ｅ，３１ｆ，３１ｇ，３１ｈは給湯用操作パネル１に電気的に接続された給湯器（図示せず）を操作するためのスイッチを示している。３２は例えば液晶パネルのようなディスプレイを示しており、３３ａ，３３ｂはスピーカーを示している。３１ｉは光源２ａ，２ｂ，２ｃ，２ｄから照射される演出照明用の光Ｌａ，Ｌｂ，Ｌｃ，Ｌｄおよびスピーカー３３ａ，３３ｂから発せられる音を制御するためのスイッチを示している。
【００２７】
第１の実施形態の給湯用操作パネルでは、例えば特開２００５−９８３１号公報などに記載されたような従来の給湯用操作パネルにおいては利用されていなかった給湯用操作パネル１の上面１１が有効利用されている。詳細には、第１の実施形態の給湯用操作パネルでは、図１および図２に示すように、演出照明用の光Ｌａ，Ｌｂ，Ｌｃ，Ｌｄを浴室内に照射するための光源２ａ，２ｂ，２ｃ，２ｄが、給湯用操作パネル１の上面１１に配置されている。そのため、図１および図２に示すように、光源２ａ，２ｂ，２ｃ，２ｄから演出照明用の光Ｌａ，Ｌｂ，Ｌｃ，Ｌｄが照射されると、その光Ｌａ，Ｌｂ，Ｌｃ，Ｌｄが浴室の壁面２０に当たり、壁面２０の領域Ａ（図２参照）に照射パターンが形成される。それにより、入浴者を視覚的に癒すことができる。
【００２８】
第１の実施形態の給湯用操作パネル１では、給湯用操作パネル１の上面１１に光源２ａ，２ｂ，２ｃ，２ｄが配置されているが、第２の実施形態の給湯用操作パネルでは、代わりに、給湯用操作パネル１の下面１２、右側面１３あるいは左側面１４に光源２ａ，２ｂ，２ｃ，２ｄを配置することも可能である。また、第３の実施形態の給湯用操作パネルでは、給湯用操作パネル１の上面１１、下面１２、右側面１３および左側面１４の少なくとも２つ以上の面に光源２ａ，２ｂ，２ｃ，２ｄを配置することも可能である。
【００２９】
また、第１の実施形態の給湯用操作パネル１では、図１に示すように、演出照明用の光Ｌａ，Ｌｂ，Ｌｃ，Ｌｄを照射するための光源２ａ，２ｂ，２ｃ，２ｄが給湯用操作パネル１の上面１１に設けられ、光源２ａ，２ｂ，２ｃ，２ｄから照射される演出照明用の光Ｌａ，Ｌｂ，Ｌｃ，Ｌｄを制御するためのスイッチ３１ｉが給湯用操作パネル１の前側面１５に設けられている。つまり、光源２ａ，２ｂ，２ｃ，２ｄおよびスイッチ３１ｉが共に給湯用操作パネル１に設けられている。そのため、光源２ａ，２ｂ，２ｃ，２ｄが給湯用操作パネル１から離れた位置に配置されている場合よりも、スイッチ３１ｉから光源２ａ，２ｂ，２ｃ，２ｄに電気信号を供給するための電気配線（図示せず）を短くすることができる。
【００３０】
更に、第１の実施形態の給湯用操作パネル１では、給湯器（図示せず）を操作するために設けられている電源（図示せず）を用いることにより、光源２ａ，２ｂ，２ｃ，２ｄが点灯せしめられる。つまり、第１の実施形態の給湯用操作パネル１では、給湯器（図示せず）を操作するための電源（図示せず）と、光源２ａ，２ｂ，２ｃ，２ｄに電力を供給するための電源（図示せず）とが兼用されている。
【００３１】
また、第１の実施形態の給湯用操作パネル１では、例えば夏場のような暑い時期に光源２ａ，２ｂ，２ｃ，２ｄから寒色系の光Ｌａ，Ｌｂ，Ｌｃ，Ｌｄが照射され、例えば冬場のような寒い時期に光源２ａ，２ｂ，２ｃ，２ｄから暖色系の光Ｌａ，Ｌｂ，Ｌｃ，Ｌｄが照射されるように、光源２ａ，２ｂ，２ｃ，２ｄがプログラム制御されている。詳細には、第１の実施形態の給湯用操作パネル１では、光源２ａ，２ｂ，２ｃ，２ｄから照射される光Ｌａ，Ｌｂ，Ｌｃ，Ｌｄを制御するプログラムが書き込まれたＩＣが、給湯器（図示せず）を制御するための電気回路基板（図示せず）に搭載されている。つまり、第１の実施形態の給湯用操作パネル１では、給湯器（図示せず）を制御するための電気回路基板（図示せず）と、光源２ａ，２ｂ，２ｃ，２ｄから照射される光Ｌａ，Ｌｂ，Ｌｃ，Ｌｄを制御するための電気回路基板（図示せず）とが兼用されている。
【００３２】
更に、第１の実施形態の給湯用操作パネル１では、光源２ａ，２ｂ，２ｃ，２ｄが、給湯用操作パネル１の前側面１５ではなく、給湯用操作パネル１の上面１１に配置されている。そのため、光源２ａ，２ｂ，２ｃ，２ｄが、給湯用操作パネル１の前側面１５に配置される場合よりも、給湯用操作パネル１の前側面１５を小型化することができる。
【００３３】
また、第１の実施形態の給湯用操作パネル１では、演出効果を図るための音がスピーカー３３ａ，３３ｂから発せられる。それにより、入浴者を視覚および聴覚の両面から癒すことができる。
【００３４】
第１の実施形態の給湯用操作パネル１では、スピーカー３３ａ，３３ｂが設けられているが、第４の実施形態の給湯用操作パネルでは、スピーカー３３ａ，３３ｂを省略することも可能である。
【００３５】
以下、本発明の給湯用操作パネルの第５の実施形態について説明する。第５の実施形態の給湯用操作パネルは、後述する点を除き、上述した第１の実施形態の給湯用操作パネル１と同様に構成されている。従って、第５の実施形態の給湯用操作パネルによれば、後述する点を除き、上述した第１の実施形態の給湯用操作パネル１とほぼ同様の効果を奏することができる。
【００３６】
図３は第５の実施形態の給湯用操作パネル１’の左側面図、図４は第５の実施形態の給湯用操作パネル１’を概略的に示した斜視図、図５は第５の実施形態の給湯用操作パネル１’の正面図である。図３〜図５において、図１および図２に示した参照番号と同一の参照番号は、図１および図２に示した部品または部分と同一の部品または部分を示している。２１は光源２ａ，２ｂ，２ｃ，２ｄ，２ｅ，２ｆ，２ｇ，２ｈ，２ｉから放射された光のうち、浴室の壁面２０から離れる側に放射された光を浴室の壁面２０の側（図３の左側）に反射するためのリフレクタを示している。２２は給湯用操作パネル１’の右側面１３および左側面１４とリフレクタ２１とを連結するための連結部材を示している。
【００３７】
第５の実施形態の給湯用操作パネル１’では、図３〜図５に示すように、リフレクタ２１が光源２ａ，２ｂ，２ｃ，２ｄ，２ｅ，２ｆ，２ｇ，２ｈ，２ｉの前側（図３の右側、図４の右下側）に配置されている。詳細には、図３に示すように、光源２ａ，２ｂ，２ｃ，２ｄ，２ｅ，２ｆ，２ｇ，２ｈ，２ｉから放射された光のうち、浴室の壁面２０の側（図３の左側）に放射された光が、浴室の壁面２０に直接照射される。更に、光源２ａ，２ｂ，２ｃ，２ｄ，２ｅ，２ｆ，２ｇ，２ｈ，２ｉから放射された光のうち、浴室の壁面２０から離れる側（図３の右側）に放射された光が、リフレクタ２１によって反射せしめられ、浴室の壁面２０に照射される。その結果、光源２ａ，２ｂ，２ｃ，２ｄ，２ｅ，２ｆ，２ｇ，２ｈ，２ｉからの直接光およびリフレクタ２１からの反射光の両方によって、壁面２０の領域Ｂに照射パターンＬが形成される。
【００３８】
そのため、第５の実施形態の給湯用操作パネル１’によれば、浴室の壁面２０の側（図３の左側）に放射された光のみならず、浴室の壁面２０から離れる側（図３の右側）に放射された光を演出照明用の光として有効利用することができる。また、第１の実施形態の給湯用操作パネル１によって形成される照射パターン（図２参照）よりも大きい照射パターンＬを浴室の壁面２０の領域Ｂ（図３参照）に形成することができる。
【００３９】
以下、本発明の給湯用操作パネルの第６の実施形態について説明する。第６の実施形態の給湯用操作パネルは、後述する点を除き、上述した第１の実施形態の給湯用操作パネル１と同様に構成されている。従って、第６の実施形態の給湯用操作パネルによれば、後述する点を除き、上述した第１の実施形態の給湯用操作パネル１とほぼ同様の効果を奏することができる。
【００４０】
図６は第６の実施形態の給湯用操作パネル１０１を概略的に示した斜視図、図７は第６の実施形態の給湯用操作パネル１０１の正面図である。図６および図７において、図１〜図５に示した参照番号と同一の参照番号は、図１〜図５に示した部品または部分と同一の部品または部分を示している。
【００４１】
また、図６および図７において、２１ａは光源２ａから放射された光のうち、浴室の壁面２０から離れる側に放射された光を集光させて浴室の壁面２０の側に反射するためのリフレクタを示しており、２１ｂ，２１ｃ，２１ｄ，２１ｅ，２１ｆ，２１ｇ，２１ｈ，２１ｉはリフレクタ２１ａと同様に構成されたリフレクタを示している。
【００４２】
第６の実施形態の給湯用操作パネル１０１では、図６および図７に示すように、リフレクタ２１ａが光源２ａの前側（図６の右下側）に配置され、リフレクタ２１ｂが光源２ｂの前側（図６の右下側）に配置され、リフレクタ２１ｃが光源２ｃの前側（図６の右下側）に配置され、リフレクタ２１ｄが光源２ｄの前側（図６の右下側）に配置され、リフレクタ２１ｅが光源２ｅの前側（図６の右下側）に配置され、リフレクタ２１ｆが光源２ｆの前側（図６の右下側）に配置され、リフレクタ２１ｇが光源２ｇの前側（図６の右下側）に配置され、リフレクタ２１ｈが光源２ｈの前側（図６の右下側）に配置され、リフレクタ２１ｉが光源２ｉの前側（図６の右下側）に配置されている。
【００４３】
詳細には、図６および図７に示すように、光源２ａから放射された光のうち、浴室の壁面２０から離れる側に放射された光が、リフレクタ２１ａによって反射せしめられ、集光せしめられたスポット光として浴室の壁面２０に照射される。その結果、図７に示すように、ライン状の照射パターンＬａ’が形成される。同様に、リフレクタ２１ｂからの集光せしめられた反射光によってライン状の照射パターンＬｂ’が形成され、リフレクタ２１ｃからの集光せしめられた反射光によってライン状の照射パターンＬｃ’が形成され、リフレクタ２１ｄからの集光せしめられた反射光によってライン状の照射パターンＬｄ’が形成され、リフレクタ２１ｅからの集光せしめられた反射光によってライン状の照射パターンＬｅ’が形成され、リフレクタ２１ｆからの集光せしめられた反射光によってライン状の照射パターンＬｆ’が形成され、リフレクタ２１ｇからの集光せしめられた反射光によってライン状の照射パターンＬｇ’が形成され、リフレクタ２１ｈからの集光せしめられた反射光によってライン状の照射パターンＬｈ’が形成され、リフレクタ２１ｉからの集光せしめられた反射光によってライン状の照射パターンＬｉ’が形成される。
【００４４】
つまり、第６の実施形態の給湯用操作パネル１０１によれば、複数のライン状の演出照明用の光を浴室の壁面２０に照射し、複数のライン状の照射パターンＬａ’，Ｌｂ’，Ｌｃ’，Ｌｄ’，Ｌｅ’，Ｌｆ’，Ｌｇ’，Ｌｈ’，Ｌｉ’を浴室の壁面２０に形成することができる。
【００４５】
以下、本発明の給湯用操作パネルの第７の実施形態について説明する。第７の実施形態の給湯用操作パネルは、後述する点を除き、上述した第１の実施形態の給湯用操作パネル１と同様に構成されている。従って、第７の実施形態の給湯用操作パネルによれば、後述する点を除き、上述した第１の実施形態の給湯用操作パネル１とほぼ同様の効果を奏することができる。
【００４６】
図８は第７の実施形態の給湯用操作パネル１０１の斜視図である。図８において、図１〜図７に示した参照番号と同一の参照番号は、図１〜図７に示した部品または部分と同一の部品または部分を示している。
【００４７】
図８に示すように、第７の実施形態の給湯用操作パネル２０１は、スイッチ３１ａ，３１ｂ，３１ｃ，３１ｄ，３１ｅ，３１ｆ，３１ｇ，３１ｈおよびディスプレイ３２を備えた給湯操作用本体ユニットＢＵと、光源２ａ，２ｂ，２ｃ，２ｄとスピーカー３３ａ，３３ｂとスイッチ３１ｉとを備えた照明ユニットＬＵとに分割可能に構成されている。
【００４８】
つまり、まず最初に、給湯操作用本体ユニットＢＵを浴室の壁面２０に取り付け、次いで、給湯操作用本体ユニットＢＵに対して照明ユニットＬＵを後付けできるように、第７の実施形態の給湯用操作パネル２０１が構成されている。
【００４９】
詳細には、給湯操作用本体ユニットＢＵに対して照明ユニットＬＵを後付けする時の作業性を向上させるために、第７の実施形態の給湯用操作パネル２０１では、図８に示すように、給湯操作用本体ユニットＢＵにスライドガイド４０が設けられ、そのスライドガイド４０と相補形状のスライドガイド４１が照明ユニットＬＵに設けられている。また、給湯操作用本体ユニットＢＵにコネクタ端子４２が設けられ、そのコネクタ端子４２と相補形状のコネクタ端子４３が照明ユニットＬＵに設けられている。つまり、給湯操作用本体ユニットＢＵに対して照明ユニットＬＵが装着されると、コネクタ端子４２，４３を介して給湯操作用本体ユニットＢＵと照明ユニットＬＵとが電気的に接続されるように、第７の実施形態の給湯用操作パネル２０１が構成されている。
【図面の簡単な説明】
【００５０】
【図１】第１の実施形態の給湯用操作パネル１の斜視図である。
【図２】第１の実施形態の給湯用操作パネル１の左側面図である。
【図３】第５の実施形態の給湯用操作パネル１’の左側面図である。
【図４】第５の実施形態の給湯用操作パネル１’を概略的に示した斜視図である。
【図５】第５の実施形態の給湯用操作パネル１’の正面図である。
【図６】第６の実施形態の給湯用操作パネル１０１を概略的に示した斜視図である。
【図７】第６の実施形態の給湯用操作パネル１０１の正面図である。
【図８】第７の実施形態の給湯用操作パネル１０１の斜視図である。
【符号の説明】
【００５１】
１                              給湯用操作パネル
２ａ，２ｂ，２ｃ，２ｄ          光源
１１                            上面
１２                            下面
１３                            右側面
１４                            左側面
１５                            前側面
２０                            壁面
３１ａ，３１ｂ，３１ｃ，３１ｄ  スイッチ
３１ｅ，３１ｆ，３１ｇ，３１ｈ  スイッチ
３１ｉ                          スイッチ
３２                            ディスプレイ
３３ａ，３３ｂ                  スピーカー
【図１】
2007155228.tif 000003
【図２】
2007155228.tif 000004
【図３】
2007155228.tif 000005
【図４】
2007155228.tif 000006
【図５】
2007155228.tif 000007
【図６】
2007155228.tif 000008
【図７】
2007155228.tif 000009
【図８】
2007155228.tif 000010